(57)【特許請求の範囲】
【請求項１】
電気絶縁性と可撓性とを有する第１のフレキシブルシートと、
複数の接点部と前記複数の接点部に電気的に接続された配線部とを含んで前記第１のフレキシブルシートの一方の面上に形成された第１の接点回路パターンと、
前記第１のフレキシブルシートの前記一方の面上に積層され且つ前記第１の接点回路パターンの前記複数の接点部に対応した位置に複数の貫通孔を備えて電気絶縁性と可撓性とを有するスペーサシートと、
前記スペーサシートを介して前記第１のフレキシブルシートの前記一方の面上に積層された電気絶縁性と可撓性とを有する第２のフレキシブルシートと、
前記第１の接点回路パターンの前記複数の接点部と前記複数の貫通孔を介して対向してそれぞれ複数のスイッチ部を構成する複数の接点部と該複数の接点部に電気的に接続された配線部とを含み且つ前記第２のフレキシブルシートの前記第１のフレキシブルシートの前記一方の面と対向する一方の面上に形成された第２の接点回路パターンとを具備するメンブレンスイッチであって、
前記第１のフレキシブルシート、前記スペーサシート及び前記第２のフレキシブルシートが重なった状態における外郭は、端部から前記第１及び第２の接点回路パターンに含まれる端子が突出する直線部と、該直線部から横方向に延びてそれぞれ複数の前記スイッチ部を有する複数本の蛇行部とを備えた構造を有し、
前記蛇行部が、直線状に延びる部分と湾曲する部分とが交互に現れるようにそれぞれ構成され、
前記スペーサシートに形成された前記複数の貫通孔は、前記複数の貫通孔の一部の複数の前記貫通孔によって構成され且つ前記複数本の蛇行部のそれぞれに配置される複数の貫通孔群に分けられ、
前記スペーサシートには、１つの前記貫通孔群を構成する前記複数の貫通孔と連通する連通路が前記複数の貫通孔群に対応してそれぞれ形成され、
前記連通路は、前記貫通孔群ごとに配置されて、前記複数の貫通孔群のうちの一つの貫通孔群に形成された連通路と前記複数の貫通孔群のうちの他の貫通孔群に形成された連通路とが相互に連通しないように形成されており、
前記第１及び第２のフレキシブルシートの少なくとも一方には前記複数の貫通孔群に対応してそれぞれ設けられた複数の前記連通路に対してそれぞれ設けられて対応する前記連通路と連通する複数の吸排気口が形成されていることを特徴とするメンブレンスイッチ。
【請求項２】
電気絶縁性と可撓性とを有する第１のフレキシブルシートと、
複数の接点部と前記複数の接点部に電気的に接続された配線部とを含んで前記第１のフレキシブルシートの一方の面上に形成された第１の接点回路パターンと、
前記第１のフレキシブルシートの前記一方の面上に積層され且つ前記第１の接点回路パターンの前記複数の接点部に対応した位置に複数の貫通孔を有する電気絶縁性と可撓性とを有するスペーサシートと、
前記スペーサシートを介して前記第１のフレキシブルシートの前記一方の面上に積層された電気絶縁性と可撓性とを有する第２のフレキシブルシートと、
前記第１の接点回路パターンの前記複数の接点部と前記複数の貫通孔を介して対向してそれぞれ複数のスイッチ部を構成する複数の接点部と該複数の接点部に電気的に接続された配線部とを含み且つ前記第２のフレキシブルシートの前記第１のフレキシブルシートの前記一方の面と対向する一方の面上に形成された第２の接点回路パターンとを具備するメンブレンスイッチであって、
前記第１のフレキシブルシート、前記スペーサシート及び前記第２のフレキシブルシートが重なった状態における外郭は、端部から前記第１及び第２の接点回路パターンに含まれる端子が突出する直線部と、該直線部から横方向に延びてそれぞれ複数の前記スイッチ部を有する複数本の蛇行部とを備えた構造を有し、
前記蛇行部が、直線状に延びる部分と湾曲する部分とが交互に現れるようにそれぞれ構成され、
前記スペーサシートに形成された前記複数の貫通孔は、それぞれ前記複数の貫通孔の一部の複数の前記貫通孔によって構成され且つ前記複数本の蛇行部のそれぞれに配置される複数の貫通孔群に分けられ、
前記スペーサシートには前記複数の貫通孔群のそれぞれの前記貫通孔群を構成する前記複数の貫通孔に対して該複数の貫通孔と連通する連通路がそれぞれ形成され、
前記連通路は、前記貫通孔群ごとに配置されて、前記複数の貫通孔群のうちの一つの貫通孔群に形成された連通路と前記複数の貫通孔群のうちの他の貫通孔群に形成された連通路とが相互に連通しないように形成されており、
前記第１及び第２のフレキシブルシートの少なくとも一方には前記貫通孔群に対して設けられた前記連通路に対して１以上の吸排気口が形成されていることを特徴とするメンブレンスイッチ。
【請求項３】
前記２以上の吸排気口は前記第１及び第２のフレキシブルシートの両方に形成されている請求項１または２に記載のメンブレンスイッチ。
【発明の詳細な説明】
【０００１】
【発明の属する技術分野】
本発明は、電気絶縁性及び可撓性を有する一対のフレキシブルシートの対向面上に複数の接点部及び配線部を有する接点回路パターンがそれぞれ形成され、対向する接点部によりスイッチ部が構成されるメンブレンスイッチに関するものである。
【０００２】
【従来の技術】
この種のメンブレンスイッチは、電気絶縁性と可撓性とを有するスペーサシートを間にして対向する第１及び第２のフレキシブルシートを備えている。第１及び第２のフレキシブルシートは、それぞれ電気絶縁性と可撓性とを有している。そして第１のフレキシブルシートの一方の面上には、複数の接点部とこれら複数の接点部に電気的に接続された配線部とを含む第１の接点回路パターンが形成されている。スペーサシートは、第１のフレキシブルシートの一方の面上に積層され且つ第１の接点回路パターンの複数の接点部に対応した位置に複数の貫通孔を備えている。またスペーサシートには、各貫通孔と連通し且つ第１及び第２のフレキシブルシートの一方に設けられた吸排気口と連通する連通路を備えている。そして第２のフレキシブルシートの一方の表面上には、第１の接点回路パターンの複数の接点部とスペーサシートに形成した複数の貫通孔を介して対向してそれぞれ複数のスイッチ部を構成する複数の接点部とこれら複数の接点部に電気的に接続された配線部とを含む第２の接点回路パターンを備えている。
【０００３】
このような構造のメンブレンスイッチでは、スイッチ部を構成する一対の接点部が接触しようとするときに、一対の接点部間の空間の圧力が上昇するため、この空間から空気を放出しなければ接点部を十分に接触させることができない。そのためメンブレンスイッチでは、前述の連通路を通して各貫通孔と吸排気口とをつないで、空気の出し入れを自由に行うことができるようにしている。従来のメンブレンスイッチでは、全てのスイッチ部に対して一つの吸排気口を設け、１つの吸排気口を通して空気の排気と吸気とを行っている。
【０００４】
【発明が解決しようとする課題】
シート内部に配置されてシートに人が座っているか否かを検出する用途に用いられるメンブレンスイッチでは、検出感度または検出精度を高めるために、スイッチ部の数をかなり多くする傾向にある。このような用途に用いられるメンブレンスイッチでは、少なくとも１つのスイッチ部がオン状態になれば、人の存在を検知できる。しかしながら、１つしか設けられていない吸排気口に、溶けたアイスクリームや飴のようにある程度粘度があってしかも乾燥したときには障害物となるようなものが浸入したり、この吸排気口を塞ぐと、吸排気口を通しての空気の流通がスムーズでなくなったり流通が不可能になって、すべてのスイッチ部が同時に機能不能状態に至る事態が発生する。
【０００５】
またメンブレンスイッチに多数のスイッチ部を構成すると、スペーサシートに形成する貫通孔の数や各貫通孔を連通する連通路の長さも長くなる。連通路の長さが長く、しかも連通路が貫通溝によって構成される場合には、連通路の両側に位置する部分が離れやすくなるために、メンブレンスイッチを組み立てる際に、スペーサシートの形状を整える作業が必要になって、スペーサシートの取扱いが面倒になる問題が発生する。
【０００６】
本発明の目的は、すべてのスイッチ部が同時に機能不能状態になる可能性が少ないメンブレンスイッチを提供することにある。
【０００７】
本発明の他の目的は、スイッチ部の数が多くなっても、組み立てが容易なメンブレンスイッチを提供することにある。
【０００８】
【課題を解決するための手段】
上記目的を達成するため本発明の構成を以下に説明する。本発明が改良の対象とするメンブレンスイッチは、電気絶縁性及び可撓性とを有する第１のフレキシブルシートと、複数の接点部とこれら複数の接点部に電気的に接続された配線部とを含んで第１のフレキシブルシートの一方の面上に形成された第１の接点回路パターンと、第１のフレキシブルシートの一方の面上に積層され且つ第１の接点回路パターンの複数の接点部に対応する位置に形成された複数の貫通孔を有する電気絶縁性及び可撓性を有するスペーサーシートと、このスペーサーシートを介して第１のフレキシブルシートの一方の面上に積層された電気絶縁性及び可撓性を有する第２のフレキシブルシートと、第１の接点回路パターンの複数の接点部と複数の貫通孔を介して対向してそれぞれ複数のスイッチ部を構成する複数の接点部とこれら複数の接点部に電気的に接続された配線部とを含み且つ第２のフレキシブルシートの第１のフレキシブルシートの一方の面と対向する一方の面上に形成された第２の接点回路パターンとを備えている。
【０００９】
本発明においては、スペーサシートに形成された複数の貫通孔は、これら複数の貫通孔の一部の複数の貫通孔によって構成される複数の貫通孔群に分けられている。なお各貫通孔群を構成する複数の貫通孔はそれぞれ２以上であればよく、また各貫通孔群を構成する複数の貫通孔の数は、同じであっても、また異なっていてもよい。さらにスペーサシートには、複数の貫通孔群のそれぞれの貫通孔群を構成する複数の貫通孔に対してこれら複数の貫通孔と連通する連通路がそれぞれ形成されている。言い換えると、スペーサシートには、１つの貫通孔群を構成する複数の貫通孔と連通する１つの連通路が形成されており、各貫通孔群ごとに１つずつ連通路が形成されている。したがってスペーサシートには、複数の貫通孔群に対応して複数の連通路が形成されている。これら複数の連通路は貫通孔群ごとに配置されており、一つの貫通孔群に形成された連通路と他の貫通孔群に形成された連通路とは相互に連通しないように形成されている。そして第１及び第２のフレキシブルシートの少なくとも一方には複数の貫通孔群に対応してそれぞれ設けられた複数の連通路に対してそれぞれ設けられて対応する連通路と連通する複数の吸排気口が形成されている。言い換えると第１及び第２のフレキシブルシートの少なくとも一方には、１つの貫通孔群に対して設けられた１つの連通路に対して１以上の吸排気口が形成されている。即ち一つの貫通孔群に対し形成された吸排気口は、他の貫通孔群に対応し形成された吸排気口とは連通路を介して互いに連通することはない。１つの貫通孔群に対応して設けた１つの連通路に設ける吸排気口は、１以上であればよく２個，３個を含む複数個でもよい。
【００１０】
上記のように構成すると、複数の貫通孔群には、それぞれ別個に１つの連通路と１以上の吸排気口が設けられることになる。見方を変えると、複数の貫通孔群に対応してそれぞれ形成される複数のスイッチ部群には、それぞれ別個に１つの連通路と１以上の吸排気口が設けられることになる。そのため１つの貫通孔群（１つのスイッチ部群）に対して設けられた１以上の吸排気口が塞がれて、１つの貫通孔群に対応して形成される１つのスイッチ部群を構成するスイッチ部がすべて機能不能状態（オン状態にならない状態）になっても、他の貫通孔群に対応して形成される他のスイッチ部群が有効に機能するため、すべてのスイッチ部が同時に機能不能状態になることがない。
【００１１】
また本発明の上記構成によれば、各貫通孔群に対応して設けられた複数の連通路は、それぞれ独立して形成される、言い換えれば複数の連通路が相互につながることがないので、スペーサシートの形状を大きく変形させるほどに長く延びる連通路が形成されることがない。なおスペーサシートの変形を確実に防ぐためには、１つの貫通孔群を構成する複数の貫通孔の配置及び連通路のパターンを、スペーサシートが第１のフレキシブルシートの上に重ねられる際に、スペーサシートの連通路の両側に位置する二つの部分の一方が他方から容易に離れないように定めるのが好ましい。このようにすると連通路の数が増えても、スペーサシートが容易に変形することがなくなる。したがってメンブレンスイッチを組み立てる際に、スペーサシートの形状を整える作業が不要になるかまたは少なくてすみ、組み立て作業が容易になる。
【００１２】
特に複数の吸排気口を第１及び第２のフレキシブルシートの両方に形成すると、一方の吸排気口が塞がれても他方の吸排気口が機能するため、すべてのスイッチ部が機能不能状態になる率が低くなる。
【００１３】
【発明の実施の形態】
以下図面を参照しながら、本発明のメンブレンスイッチの実施の形態の一例を詳細に説明する。図１は本発明のメンブレンスイッチ２の実施の形態の一例を示す平面図であり、図２は図１の実施の形態で使用するスペーサシート９の平面図である。なお図１においては、第１のフレキシブルシート１と、第２のフレキシブルシート３と、第１及び第２のフレキシブルシート１及び３の間に配置されるスペーサシート９をすべて透明なものとして描いてある。また図３において、（Ａ）は図１のIII Ａ−III Ａ線拡大断面図であり、（Ｂ）は図１のIII Ｂ−IIIＢ線拡大断面図であり、（Ｃ）は図１のIII Ｃ−III Ｃ線拡大断面図であり、また図４は図１のIV−IV線拡大断面図である。なお図３及び図４においては、第１及び第２のフレキシブルシート１及び３とスペーサシート９とを接合する粘着剤からなる接合層は厚みが薄いため図示を省略してある。
【００１４】
図１，図３及び図４において１及び３は第１及び第２のフレキシブルシートである。これら一対のフレキシブルシート１及び３は、電気絶縁性と可撓性を有するポリエチレンナフタレート等の合成樹脂製の透明なシートにより構成されている。これらのフレキシブルシート１及び３は、後述する配線部５ｂ，７ｂと吸排気口１ａが形成される部分が異なるだけ略同じ形状を有しており、重なった状態ではメンブレンスイッチ２の外郭を構成している。このメンブレンスイッチ２は、真っ直ぐに延びてその端部から端子５ｃ及び７ｃが突出する直線部２Ａと、この直線部２Ａから横方向にほぼ並行に延びてそれぞれスイッチ部を有する２本の蛇行部２Ｂ及び２Ｃとから構成される。蛇行部２Ｂ及び２Ｃは、直線状に延びる部分２Ｂ1 及び２Ｃ1 と湾曲する部分２Ｂ2 及び２Ｃ2 とが交互に現れるようにそれぞれ構成されている。この湾曲する部分２Ｂ2 及び２Ｃ2 があるために、蛇行部２Ｂ及び２Ｃは長手方向にある程度延びることができる。
【００１５】
第１のフレキシブルシート１の一方面（対向面）上には、一列に並ぶ４個の円形状の接点部５ａ1 …及び一列に並ぶ４個の円形状の接点部５ａ2 …からなる８個の接点部５ａ…と、これらの接点部５ａ…と電気的に接続された配線部５ｂと、この配線部５ｂを介して８個の接点部５ａ…と電気的に接続された端子５ｃとを有する第１の接点回路パターン５が形成されている。同様にして第２のフレキシブルシート３の一方の面（対向面）上には、第１のフレキシブルシート１と重なった状態で８個の接点部５ａ…と対向する８個の円形状の接点部７ａ…［図３（Ａ）参照］と、これら８個の接点部７ａ…とを電気的に接続する配線部７ｂと，この配線部７ｂを介して接点部７ａ…と電気的に接続された端子７ｃとを有する第２の接点回路パターン７が形成されている。
【００１６】
これらの第１及び第２の接点回路パターン５，７は、合成樹脂ペーストに導電性粉末が混練されてなる導電性ペーストを用いて形成されている。この例では、図３に示すように、接点回路パターン５，７を、導電性を有する銀粉末や銅粉末を混練した導電性ペーストを用いて形成した下地回路パターン層（５Ａ，７Ａ）と、下地回路パターン層（５Ａ，７Ａ）の上に導電性を有するカーボン粉末を混練したいわゆるカーボン塗料を用いて形成した表面側回路パターン層（５Ｂ，７Ｂ）とからなる二層構造により構成している。第１及び第２の接点回路パターン５，７は、接点部５ａ…及び７ａ…が互いに向かい合い、その他の部分は向かい合わないようにして形成されている。第１及び第２のフレキシブルシート１及び３の間には、スペーサシート９が配置されている。
【００１７】
スペーサシート９は、図２に示す形状を有している。このスペーサシート９は、ポリエチレンテレフタレートの絶縁樹脂シートからなり、その輪郭形状は第１及び第２のフレキシブルシート１及び３の輪郭形状と同じである。そしてスペーサシート９には、第１及び第２の接点回路パターン５，７に含まれる４個の接点部５ａ…及び７ａ…に対応する部分に、一列に並んだ４個の貫通孔９ａ1 …からなる第１の貫通孔群９Ａと、一例に並んだ４個の貫通孔９ａ1 …とほぼ並行になって一列に並んだ４個の貫通孔９ａ2 …からなる第２の貫通孔群９Ｂが形成されている。これらの貫通孔９ａ1 …及び９ａ2 …は、円形状の接点部５ａ…及び７ａ…よりも径寸法が小さい円形形状を有しており、接点部５ａ…及び７ａ…と貫通孔とが同心的に配置される。スペーサシート９の貫通孔９ａ1 …及び９ａ2 …の存在によりによりスイッチ部内に空間が形成され、この空間により接点部５ａ…及び７ａ…の自然な接触が阻止されている。なおこの例では、貫通孔９ａ1 …を介して対向する一対の接点部５ａ…及び７ａ…により、４組の対向する接点部５ａ…及び７ａ…からなる４つのスイッチ部１０…が構成され、これら４つのスイッチ部１０…により第１のスイッチ部群が構成されている。また貫通孔９ａ2…を介して対向する一対の接点部５ａ…及び７ａ…により、４組の対向する接点部５ａ…及び７ａ…からなる４つのスイッチ部１０…が構成され、これら４つのスイッチ部１０…により第２のスイッチ部群が構成されている。
【００１８】
またスペーサシート９には、第１の貫通孔群９Ａを構成する４個の貫通孔９ａ1 …と連通する第１の連通路９ｂ1 と、第２の貫通孔群９Ｂを構成する４個の貫通孔９ａ2 …と連通する第２の連通路９ｂ2 とが形成されている。第１の連通路９ｂ1 及び第２の連通路９ｂ2 は、スペーサシート９の厚み方向両側に開口するスリットからなり、それぞれ細長く延びる連通路本体９ｂ11及び９ｂ21と、この連通路本体９ｂ11及び９ｂ21から各貫通孔９ａ1 …及び９ａ2 …に延びる枝路９ｂ12…及び９ｂ22…とから構成される。連通路本体９ｂ11及び９ｂ21は、メンブレンスイッチ２の、直線部２Ａに沿って直線状に延びる部分と蛇行部２Ｂ及び２Ｃに沿って蛇行しながら延びる部分とを有しており、直線部２Ａに沿って直線状に延びる部分の終端部が、後に説明する吸排気口１ａ1 及び１ａ2 と連通する部分になる。なおこれらの連通路９ｂ1 及び９ｂ2 は、第１及び第２の接点回路パターン５，７の配線部５ｂ及び７ｂの間を通るように形成されており、実際に連通路としての機能を果たすのは、スペーサシート９の両側に第１及び第２のフレキシブルシート１及び３が接合された状態である。
【００１９】
なお本発明の実施の形態では、連通路９ｂ1 及び９ｂ2 がスペーサシート９を貫通するスリットにより形成されているが、連通路９ｂ1 及び９ｂ2 を凹状の溝として形成してもよい。
【００２０】
図１に示すように、第１のフレキシブルシート１には、メンブレンスイッチ２の直線部２Ａに対応する部分に第１及び第２の吸排気口１ａ1 及び１ａ2 が形成されている。第１及び第２の吸排気口１ａ1 及び１ａ2 は、図２に示したスペーサシート９に形成された連通路本体９ｂ11及び９ｂ21のメンブレンスイッチ２の直線部２Ａに沿って直線状に延びる部分の終端部と対向して連通路９ｂ1 及び９ｂ2 とそれぞれ連通する。
【００２１】
また図３及び図４に示すように、第２のフレキシブルシート３の裏面には接着剤層１１ａと剥離シート１１ｂとからなる剥離シート付き接着層１１が接着剤層１１ａを接着層として貼り付けられている。粘着剤層１１ａを形成する粘着剤としては、アクリル系、ポリイソブチレン系の接着剤が用いられる。また剥離シート１１は、粘着剤層１３が剥離容易なＰＥＴ（ポリエチレンテレフタレート）または不透明な紙によって形成されている。以上の構成ではスイッチ部１０が、接触状態に移行する過程でスイッチ部内の内圧が上昇して、スイッチ部内の空気が連通路９ｂ1 ，９ｂ2 を通って吸排気口１ａ1 ，１ａ2 から外部に放出される。またスイッチ部の接点部が、接触状態から非接触状態に戻る過程で、空気が吸排気口１ａ1 ，１ａ2 から連通路９ｂ1 ，９ｂ2 を通ってスイッチ部内に供給される。
【００２２】
なお本発明の実施の形態においては、８個の貫通孔を２つの貫通孔群に分け、各貫通孔群に対して設けられる各連通路に対してそれぞれ１個ずつの吸排気口を設けている。しかしながら、１つの連通路に対して設ける吸排気口の数は１つに限定されるものではなく複数個であってもよい。
【００２３】
また本発明の実施の形態では、２つの吸排気口１ａ1 及び１ａ2 を２つとも一方の面側即ち第１のフレキシブルシート１に形成している。しかしながら吸排気口は、第１及び第２のフレキシブルシートのいずれに形成してもよく、また図５に示すように第１及び第２のフレキシブルシート１及び３にそれぞれ開口するように吸排気口１ａを形成してもよい。この場合には、剥離シート付き粘着剤層１１にも吸排気口１ａ…に対応して略円形状の吸排気用の孔を設ける。
【００２４】
また吸排気口から連通路への異物の侵入を防止するため、吸排気口を通気性を有するが透水性はない特殊な材質からなるカバー部材で覆ってもよい。このような通気性を有するが透水性を有しない材質としては日東電工株式会社製のミクロテックス（商標）なる織布を用いることができる。特に複数の吸排気口…をメンブレンスイッチの一方の面に形成すれば、カバー部材の張り付け作業が容易になる利点がある。
【００２５】
また本発明のメンブレンスイッチのように、複数の貫通孔群９ａ…に対してそれぞれ別個に連通路９ｂ1 ，９ｂ2 を形成し、更にこれらの連通路９ｂ1 ，９ｂ2 に対してそれぞれ１以上の吸排気口１ａ1,１ａ2 …を別個に設ける構造を採用すると、複数の連通路９ｂ…が相互に連通しないので、第１のスイッチ部群及び第２のスイッチ部群は、それぞれ独立して機能する。すべてのスイッチ部１０…が同時に機能不能状態に陥るのを阻止できる。またこのメンブレンスイッチにおいては、複数の連通路が独立していて相互に繋がっていないので、製造時において各連通路の両側に位置する部分が離れて連通路の形状が崩れるようなスペーサシートの変形が発生する可能性が少なくなる。
【００２６】
上記実施の形態のメンブレンスイッチ２は、直線部２Ａから並行に延びる２つの蛇行部２Ｂ及び２Ｃを備えているが、蛇行部が更に多くてもよく、また蛇行部が直線部から相反する方向に延びるものであってもよく、メンブレンスイッチの外形形状は任意である。またこの例では、１つの蛇行部に位置して直線状に並ぶすべての貫通孔により１つの貫通孔群を構成しているが、直線状に並ぶ複数の貫通孔を複数の貫通孔群に分け、各貫通孔群に対して上記と同様に連通路を設けて、更に各連通路に対して１以上の吸排気口を設けてもよいのは勿論である。
【００２７】
【発明の効果】
本発明によれば、複数の貫通孔群には、それぞれ別個に１つの連通路と１以上の吸排気口が設けられる。そのため１つの貫通孔群（１つのスイッチ部群）に対して設けられた１以上の吸排気口が塞がれて、１つの貫通孔群に対応して形成される１つのスイッチ部群を構成するスイッチ部がすべて機能不能状態（オン状態にならない状態）になっても、他の貫通孔群に対応して形成される他のスイッチ部群が有効に機能するため、すべてのスイッチ部が同時に機能不能状態になることがないという利点がある。
【図面の簡単な説明】
【図１】  本発明のメンブレンスイッチの実施の形態の一例を示す平面図である。
【図２】  図１の実施の形態で用いるスペーサシートの平面図である。
【図３】  （Ａ）は図１のIII Ａ−III Ａ線拡大断面図であり、（Ｂ）は図１のIII Ｂ−III Ｂ線拡大断面図であり、（Ｃ）は図１のIII Ｃ−III Ｃ線拡大断面図であ
【図４】  図１のIV−IV線拡大断面図である。
【図５】  変形例の要部を示す断面図である。
【符号の説明】
１  第１のフレキシブルシート
１ａ1，１ａ2  吸排気口
３  第２のフレキシブルシート
５  第１の接点回路パターン
７  第２の接点回路パターン
５ａ，７ａ  複数の接点部
５ｂ，７ｂ  配線部
５ｃ，７ｃ  端子
９  スペーサシート
９Ａ，９Ｂ  貫通孔群
９ａ1，９ａ2  貫通孔
９ｂ1，９ｂ2  連通路
１０  スイッチ部
１１  接着層
１１ａ  接着剤層
１１ｂ  剥離シート
【図１】
0004245700.tif 000002
【図２】
0004245700.tif 000003
【図３】
0004245700.tif 000004
【図４】
0004245700.tif 000005
【図５】
0004245700.tif 000006